(57)【要約】【課題】携帯性に優れたメガネフレーム及びメガネケースを提供する。【解決手段】左右一対のリム１１０を連結するブリッジ１２０は、左右一対の２つのブリッジ部材１２１によって構成され、左右一対のブリッジ部材１２１は、ブリッジ１２０の前側（外側）中央部において、丁番（蝶番）１２２によって連結されている。すなわち、左右一対のブリッジ部材１２１はそれぞれ、他方のブリッジ部材１２１に対して、前方方向（矢印Ａ方向）に回動可能に連結されている。その結果、メガネフレーム１００は、ブリッジ１２０の中央部分において、前方に折り畳むことが可能となっている。更に、ブリッジ１２０は、左右一対のリム１１０より、前方に突出するように構成されており、ブリッジ部材１２１の回動中心が、左右一対のリム１１０より、一定の距離だけ前方に位置するようになっている。【選択図】図１
0003162761.tif 000002
【実用新案登録請求の範囲】
【請求項１】
前方に折り畳み可能なブリッジを備え、
当該ブリッジは、
一対のブリッジ部材で構成され、一方のブリッジ部材が、他方のブリッジ部材に対して前方に回動可能に連結されており、
当該ブリッジが前方に折り畳まれ、前記一対のブリッジ部材同士が当接した際、当該メガネフレームに保持される一対のレンズの前面の間に一定の間隔が生じるように構成されている
ことを特徴とするメガネフレーム。
【請求項２】
前記一対のブリッジ部材の回動中心は、装着時の状態において、当該メガネフレームに保持される一対のレンズの前面より前方に位置している
ことを特徴とする請求項１に記載のメガネフレーム。
【請求項３】
前記ブリッジは、装着時の状態において、当該メガネフレームに保持される一対のレンズの前面より前方に突出している
ことを特徴とする請求項１又は２に記載のメガネフレーム。
【請求項４】
前記一対のブリッジ部材は少なくとも一方が、前記ブリッジが前方に折り畳まれた際に、対向するブリッジ部材と当接するための突出部を備える
ことを特徴とする請求項１〜３のいずれか一項に記載のメガネフレーム。
【請求項５】
前記突出部は、前記ブリッジが前方に折り畳まれた際、前記一対のブリッジ部材が平行になるような高さを有する
ことを特徴とする請求項４に記載のメガネフレーム。
【請求項６】
前記一対のブリッジ部材はそれぞれ、前記ブリッジが前方に折り畳まれた際に、対向するブリッジ部材と当接するための突出部を備え、
前記突出部は、装着時の状態において、当該突出部の前面に接する平面が、前記一対のブリッジ部材の回動中心を通過するような高さを有する
ことを特徴とする請求項１〜３のいずれか一項に記載のメガネフレーム。
【請求項７】
一対のテンプルを更に備え、
当該一対のテンプルはそれぞれ、外側に折り畳み可能に構成されている
ことを特徴とする請求項１〜６のいずれか一項に記載のメガネフレーム。
【請求項８】
請求項１〜７のいずれか一項に記載のメガネフレームを使用したメガネ。
【請求項９】
請求項８に記載のメガネを収納するためのメガネケースであって、
折り畳まれた状態の前記メガネの左側及び右側それぞれを収容するための左右一対の収容部と、
当該左右一対の収容部を隔てる隔壁と
を備え、
前記隔壁の上面は、折り畳まれた状態の前記ブリッジを支持する
ことを特徴とするメガネケース。
【請求項１０】
前記隔壁は、その上面の一部に、折り畳まれた状態の前記ブリッジが嵌り込むための溝が形成されている
ことを特徴とする請求項９に記載のメガネケース。
【考案の詳細な説明】
【技術分野】
【０００１】
本考案は、メガネフレーム及びメガネケースに関する。
【背景技術】
【０００２】
メガネは、その使用目的等によって、様々なものが存在するが、その中には、基本的に常時装着されて使用されるもの（例えば、近視用メガネ）もあれば、必要時にのみ装着されて使用されるもの（例えば、老眼鏡やサングラス）もある。
【０００３】
これらのうち後者のタイプのメガネについては、一般に、必要時にのみ一時的に装着されることから、装着していないときは、使用者が適宜携帯しなければならない。従来のメガネは、テンプル（ツル）を折り畳むことで、装着時の状態よりは小さくすることはできたが、携帯性という観点からは、まだ充分とはいえなかった。
【０００４】
また、メガネの携帯は、通常、レンズ等を傷つけないよう、メガネケースに収納された状態でされることが多いが、従来のメガネケースは、テンプルを折り畳んだ状態のメガネを収容するようになっており、そのサイズは、テンプルが折り畳まれた状態のメガネより一回り大きいものにならざるを得ず、携帯性という観点からは、必ずしも優れているとはいえなかった。
【０００５】
なお、特開平９−９０２８６号公報には、レンズを嵌める両リムを連結部材によって連結すると共に、当該連結部材に蝶番等の屈曲部を設けて後方に折り畳み可能とし、また、ツルの中間部にも蝶番等の屈曲部を設けて内側に二つ折り出来るようにした折り畳み式メガネフレームであって、上記連結部材に設けた屈曲部の位置を中央から片側に位置ズレさせ、また、ヨロイの長さを左右異ならしめ、更にツルを二つ折りする為の屈曲部の位置も左右違わせ、長いヨロイ側のツルにはモダン側に屈曲部を位置ズレさせ、短いヨロイ側のツルにはヨロイ側に位置ズレさせたことを特徴とする折り畳み式メガネフレームが開示されている。
【０００６】
しかしながら、当該公報に記載の折り畳み式メガネフレームでは、両リムを連結する連結部材を後方（顔に対向する側）に折り畳むようにしているので、折り畳まれた状態において、レンズの前面が外側を向くこととなり、折り畳まれた状態で、両方のツルに挟まれるようになるリムとは反対側のリムを下側にして、机上等に置いた際、下側になったレンズを傷つけるおそれがあった。
【先行技術文献】
【特許文献】
【０００７】
【特許文献１】特開平９−９０２８６号公報
【考案の概要】
【考案が解決しようとする課題】
【０００８】
本考案の目的は、携帯性に優れたメガネフレーム及びメガネケースを提供することにある。
【課題を解決するための手段】
【０００９】
本考案に係るメガネフレームは、前方に折り畳み可能なブリッジを備え、当該ブリッジは、一対のブリッジ部材で構成され、一方のブリッジ部材が、他方のブリッジ部材に対して前方に回動可能に連結されており、当該ブリッジが前方に折り畳まれ、前記一対のブリッジ部材同士が当接した際、当該メガネフレームに保持される一対のレンズの前面の間に一定の間隔が生じるように構成されていることを特徴とする。
【００１０】
この場合において、前記一対のブリッジ部材の回動中心は、装着時の状態において、当該メガネフレームに保持される一対のレンズの前面より前方に位置しているようにしてもよい。また、前記ブリッジは、装着時の状態において、当該メガネフレームに保持される一対のレンズの前面より前方に突出しているようにしてもよい。
【００１１】
また、以上の場合において、前記一対のブリッジ部材は少なくとも一方が、前記ブリッジが前方に折り畳まれた際に、対向するブリッジ部材と当接するための突出部を備えるようにしてもよい。更に、前記突出部は、前記ブリッジが前方に折り畳まれた際、前記一対のブリッジ部材が平行になるような高さを有するようにしてもよい。
【００１２】
また、前記一対のブリッジ部材はそれぞれ、前記ブリッジが前方に折り畳まれた際に、対向するブリッジ部材と当接するための突出部を備え、前記突出部は、装着時の状態において、当該突出部の前面に接する平面が、前記一対のブリッジ部材の回動中心を通過するような高さを有するようにしてもよい。
【００１３】
また、以上の場合において、一対のテンプルを更に備え、当該一対のテンプルはそれぞれ、外側に折り畳み可能に構成されているようにしてもよい。
【００１４】
本考案に係るメガネは、前記メガネフレームを使用したメガネである。
【００１５】
本考案に係るメガネケースは、前記メガネフレームを使用したメガネを収納するためのメガネケースであって、折り畳まれた状態の前記メガネの左側及び右側それぞれを収容するための左右一対の収容部と、当該左右一対の収容部を隔てる隔壁とを備え、前記隔壁の上面は、折り畳まれた状態の前記ブリッジを支持することを特徴とする。
【００１６】
この場合において、前記隔壁は、その上面の一部に、折り畳まれた状態の前記ブリッジが嵌り込むための溝が形成されているようにしてもよい。
【考案の効果】
【００１７】
本考案によれば、携帯性に優れたメガネフレーム及びメガネケースを提供することができる。
【図面の簡単な説明】
【００１８】
【図１】本考案によるメガネフレームを使用したメガネの構成を説明するための図である。
【図２】ブリッジ１２０の構成を説明するための図である。
【図３】メガネフレーム１００を折り畳んだ状態を示す拡大平面図である。
【図４】メガネフレーム１００を使用したメガネの収納に適したメガネケースの構成を説明するための斜視図である。
【図５】メガネフレーム１００を使用したメガネの収納に適したメガネケースの構成を説明するための平面図である。
【図６】メガネフレーム１００を使用したメガネの収納に適したメガネケースの構成を説明するための断面図である。
【図７】メガネフレーム１００を使用したメガネの収納に適したメガネケースの構成を説明するための断面図である。
【考案を実施するための形態】
【００１９】
以下、本考案の実施の形態について、図面を参照しつつ詳細に説明する。
【００２０】
図１は、本考案によるメガネフレームを使用したメガネの構成を説明するための図であり、同図（ａ）は正面図を示し、同図（ｂ）は平面図を示す。
【００２１】
同図に示すように、本考案によるメガネフレーム１００は、それぞれレンズ１０１を保持する左右一対のリム１１０と、左右一対のリム１１０（レンズ１０１）を連結するブリッジ１２０と、左右一対のリム１１０（レンズ１０１）の両端に取り付けられた一対のヨロイ（智）１３０と、一対のヨロイ１３０にそれぞれ折り畳み可能に連結された一対のテンプル１４０と、一対のテンプル１４０の後端部に取り付けられたモダン（先セル）１５０とを備える。左右一対のリム１１０とブリッジ１２０と一対のヨロイ１３０とによって、メガネフレーム１００のフロント（前枠）が構成される。また、メガネフレーム１００は、一対の鼻パッド１６０を備える。一対の鼻パッド１６０はそれぞれ、クリングス１６１を介して、リム１１０の適当な位置に取り付けられている。
【００２２】
本考案によるメガネフレーム１００においては、同図に示すように、左右一対のリム１１０（レンズ１０１）を連結するブリッジ１２０が、左右一対の２つのブリッジ部材１２１によって構成されている。そして、左右一対のブリッジ部材１２１は、ブリッジ１２０の前側（外側）中央部において、丁番（蝶番）１２２によって連結されている。すなわち、左右一対のブリッジ部材１２１はそれぞれ、他方のブリッジ部材１２１に対して、前方方向（同図（ｂ）における矢印Ａ方向）に回動可能に連結されている。その結果、メガネフレーム１００は、ブリッジ１２０の中央部分において、前方に折り畳むことが可能となっている。
【００２３】
また、本実施形態においては、同図（ｂ）に示すように、ブリッジ１２０（ブリッジ部材１２１）が、左右一対のリム１１０（レンズ１０１）より、前方（同図（ｂ）における下方）に突出するように、構成されている。すなわち、ブリッジ部材１２１（丁番１２２）の回動中心が、左右一対のリム１１０（レンズ１０１）より、一定の距離だけ前方に位置するようになっている。ブリッジ１２０の更なる詳細については後述する。
【００２４】
また、左右一対のリム１１０（レンズ１０１）の両側に設けられた一対のヨロイ１３０には、通常のメガネフレームと同様に、一対のテンプル１４０が、丁番１３１によって連結されている。すなわち、一対のテンプル１４０はそれぞれ、対応するヨロイ１３０に対して、内側方向（同図（ｂ）における矢印Ｂ方向）に回動可能に連結されている。
【００２５】
また、本実施形態においては、一対のテンプル１４０はそれぞれ、２つのテンプル部材、すなわち、前側テンプル部材１４１と後側テンプル部材１４２とによって構成されている。そして、２つのテンプル部材１４１，１４２は、テンプル１４０の外側中央部分において、丁番１４３によって連結されている。すなわち、後側テンプル部材１４２は、前側テンプル部材１４１に対して、外側方向（同図（ｂ）における矢印Ｃ方向）に回動可能に連結されている。その結果、一対のテンプル１４０はそれぞれ、その中央部分において、外側方向に折り畳むことが可能となっている。
【００２６】
次に、ブリッジ１２０の詳細について説明する。
【００２７】
図２は、ブリッジ１２０の構成を説明するための図である。同図（ａ）は、図１に示したブリッジ１２０の拡大平面図を示し、同図（ｂ）〜（ｅ）は、ブリッジ１２０の変形例を示している。
【００２８】
前述したように、ブリッジ１２０は、左右一対のブリッジ部材１２１によって構成されている。各ブリッジ部材１２１は、平面視において、概ねＬ字状の形状を有し、左右対称になるように配置される。そして、このように配置された左右一対のブリッジ部材１２１は、その前面において、丁番１２２によって連結されている。
【００２９】
本実施形態においては、ブリッジ１２０を以上のように構成することにより、丁番１２２の回動中心１２３が、左右一対のリム１１０に保持されたレンズ１０１の前面より一定距離だけ前方（同図における下方）へ位置するようにしている。
【００３０】
また、同図（ａ）に示すように、各ブリッジ部材１２１は、丁番１２２が取り付けられる面に比べて、その外側に位置する面が前方に突出するように形成されている。すなわち、各ブリッジ部材１２１は、その前面に突出部１２４を有している。後述するように、ブリッジ１２０が折り畳まれた際、対向する突出部１２４の前面同士が当接することになる。そして、本実施形態においては、２つのブリッジ部材１２１（突出部１２４）の前面が当接した際、２つのブリッジ部材１２１が平行になるように、突出部１２４の高さ（同図における上下方向の長さ）が決められている。すなわち、同図（ａ）に示した装着時の状態において、丁番１２２の両側に配置された突出部１２４の前面（頂面）に接する平面が、丁番１２２の回動中心１２３を通るような高さになるように、突出部１２４が形成されている。
【００３１】
なお、折り畳まれて、２つのブリッジ部材１２１（突出部１２４）の前面が当接した際に、２つのブリッジ部材１２１が平行になるようにするためには、必ずしも、突出部１２４の高さを左右対称にする必要はなく、例えば、同図（ｂ）に示すように、左右非対称にしたり、更には、同図（ｃ）に示すように、一方のブリッジ部材１２１にのみ突出部１２４を設けるようにしたりすることも考えられる。この場合、例えば、丁番１２２が取り付けられた面から見た各突出部１２４の高さの合計（同図（ｃ）の場合は、一つの突出部１２４の高さ）が、丁番１２２が取り付けられた面から回動中心１２３までの距離の２倍と等しくなるようにすればよい。
【００３２】
また、本実施形態においては、突出部１２４の側面が丁番１２２の端部に接するように突出部１２４の幅（同図における左右方向の長さ）を決めているが、例えば、同図（ｄ）に示すように、突出部１２４の幅をより狭くすることも考えられる。また、折り畳まれた際に、一方の突出部１２４の前面（の一部）が、他方の突出部１２４の前面（の一部）に当接すれば足りるので、必ずしも、突出部１２４の幅を左右のブリッジ部材１２１で等しくする必要もなく、同図（ｅ）に示すように、突出部１２４の幅を左右で異なるようにすることも考えられる。
【００３３】
本考案によるメガネフレーム１００は、以上のような構成を有しているので、例えば、まず、２つのテンプル部材１４１，１４２を連結する丁番１４３部分において、後側テンプル部材１４２を外側に折り畳み、更に、ヨロイ１３０とテンプル１４０とを連結する丁番１３１部分において、前側テンプル部材１４１を内側に折り畳むことによって、テンプル１４０を折り畳み、更に、２つのブリッジ部材１２１を連結する丁番１２２部分において、フロント（前枠）部分を折り畳むことで、非常にコンパクトなサイズにすることができるようになっている。
【００３４】
図３は、メガネフレーム１００を折り畳んだ状態を示す拡大平面図である。
【００３５】
同図に示すように、本実施形態においては、折り畳まれた状態において、一対のリム１１０に保持された一対のレンズ１０１の前面の間に、一定の間隔Ｗが生じるようになっている。すなわち、装着時の状態において、ブリッジ部材１２１（丁番１２２）の回動中心１２３が、左右一対のリム１１０（レンズ１０１）より、一定の距離だけ前方に位置するように構成されると共に、一対のブリッジ部材１２１が回動して互いに平行になると、一方のブリッジ部材１２１（突出部１２４）の前面が、他方のブリッジ部材１２１（突出部１２４）の前面と当接するように構成されているので、一対のブリッジ部材１２１はそれ以上回動することができず、一対のリム１１０に保持された一対のレンズ１０１の間に、一定の間隔Ｗが必ず確保されるようになっている。その結果、折り畳まれた状態において対向することになる一対のリム１１０に保持された一対のレンズ１０１は、互いに接触することはないことになる。
【００３６】
また、後側テンプル部材１４２についても、外側に折り畳まれており、レンズ１０１の内側面（後面）に接触することはないことになる。
【００３７】
その結果、メガネフレーム１００を使用したメガネにおいては、折り畳んだ状態で、机上等に置いたとしても、レンズ１０１が傷つくことはないことになる。
【００３８】
次に、以上のような構成を有するメガネフレーム１００を使用したメガネの収納に適したメガネケースについて説明する。
【００３９】
図４〜図７は、メガネフレーム１００を使用したメガネの収納に適したメガネケースの構成を説明するための図である。図４は斜視図を示し、図５は平面図を示し、図６及び図７は断面図を示す。なお、図５以外は、折り畳まれたメガネを収納した状態を示している。
【００４０】
図４〜図７に示すように、メガネケース２００は、概ね直方体状の外形を有し、その内部に、折り畳まれた状態のメガネを収容するための空間が設けられている。そして、メガネケース２００の上面には、折り畳まれた状態のメガネを出し入れするための矩形状の開口部２０１が設けられており、更に、当該開口部２０１を塞ぐための蓋部２１０が設けられている。なお、蓋部２１０は、開閉可能に構成されており、更に、留め具（不図示）によって、閉じた状態を保つことが可能になっている。図４及び図６では、蓋部２１０を閉じた状態を示し、図５では蓋部２１０を開いた状態を示している。また、図７では、蓋部２１０は省略されている。
【００４１】
また、メガネケース２００内部の空間は、隔壁２２０によって左右一対の２つの空間（収容部）に分けられており、当該２つの空間のうちの一方の空間内に、メガネの左右いずれか一方側（例えば、左側）が収容され、他方の空間に、メガネの他方側（例えば、右側）が収容されることになる。そして、折り畳まれた状態のブリッジ１２０の部分が、隔壁２２０の上面で支持されることになる。
【００４２】
隔壁の幅（図５における左右方向の長さ）は、折り畳んだ状態におけるレンズの間隔Ｗ（図３参照）よりやや狭くなるように形成されている。また、隔壁２２０の側面は、メガネが収納された状態において、できるだけレンズの前面が接触しないよう、上下方向の中間部分が、少し凹むように曲面状に形成されている。
【００４３】
更に、隔壁２２０の上面には、溝（凹部）２２１が形成されている。当該溝２２１に、折り畳まれた状態のブリッジ１２０が嵌り込むことによって、メガネケース２００に収納された状態におけるメガネの上下方向（図７における左右方向）の動きが規制されることになる。
【００４４】
以上のような構成を有するメガネケース２００を使用することにより、本考案によるメガネフレーム１００を使用したメガネを折り畳まれたコンパクトな状態のまま、メガネの破損等を防止しつつ、携帯することが可能となる。
【００４５】
以上、本考案の実施形態について説明してきたが、当然のことながら、本考案の実施形態は上記のものに限られない。例えば、上述した実施形態においては、左右一対のリムを有するメガネフレームに本考案を適用しているが、リムレス（縁なし）のメガネフレームに本考案を適用することも考えられる。
【符号の説明】
【００４６】
１００    メガネフレーム
１０１    レンズ
１１０    リム
１２０    ブリッジ
１２１    ブリッジ部材
１２２    丁番
１２３    回動中心
１２４    突出部
１３０    ヨロイ
１３１    丁番
１４０    テンプル
１４１，１４２    テンプル部材
１４３    丁番
１５０    モダン
１６０    鼻パッド
１６１    クリングス
２００    メガネケース
２０１    開口部
２１０    蓋部
２２０    隔壁
２２１    溝（凹部）
【図１】
0003162761.tif 000003
【図２】
0003162761.tif 000004
【図３】
0003162761.tif 000005
【図４】
0003162761.tif 000006
【図５】
0003162761.tif 000007
【図６】
0003162761.tif 000008
【図７】
0003162761.tif 000009